(57)【要約】【課題】  一方の凹凸歯と他方の凹凸歯の間隔を適切に調整可能にして、複数枚のシート材に応じた綴じ圧力にできるとともに、凹凸歯の噛み合わせに不都合が生じたような場合には、前記適正な綴じ圧力を解除しないで対応することができる。【解決手段】  一方の凹凸歯１Ａが配される一方側躯体１０と他方の凹凸歯１Ｂが配される他方側躯体１１との間に第２の弾性部材５２が配されるとともに、一方側躯体１０と他方側躯体１１との隙間の間隔を調節する操作手段５０を備え、前記操作手段５０は、前記一方の凹凸歯と他方の凹凸歯の間隔を調節する凹凸歯間隔調整用の弾性部材５１と、その調節に用いられる操作手段５０を押圧操作することによって、前記一方の凹凸歯１Ａと他方の凹凸歯１Ｂとの綴じ圧力を調整する。【選択図】  図４
2020172107.tif 000002
【特許請求の範囲】
【請求項１】
複数枚のシート材を重ね合わせて一方の凹凸歯と他方の凹凸歯の間に挟持して、綴じられる凹凸痕を付与するシート材の綴じ込み機において、一方の凹凸歯が取り付けられる一方側躯体が他方の凹凸歯が取り付けられる他方側躯体に接離可能に取り付けられるともに、前記一方の凹凸歯と他方の凹凸歯の間隔を調節する凹凸歯間隔調整用の弾性部材と、その調節に用いられる操作手段を押圧操作することによって、前記一方の凹凸歯と他方の凹凸歯との綴じ圧力を調整することを特徴とするシート材の綴じ込み機。
【請求項２】
前記一方側躯体と他方側躯体との間に躯体間調整用の弾性部材が配され、前記凹凸歯間隔調整用の弾性部材の弾性力が前記躯体間調整用の弾性部材に抗して前記操作手段による押圧操作する構成とされ、前記押圧操作を解除するときには、前記操作手段による押圧操作を徐々に緩めることで前記躯体間隔調整用の弾性部材の弾性力が生じて前記押圧操作を解除することを特徴とする請求項１記載のシート材の綴じ込み機。
【請求項３】
複数枚のシート材を重ね合わせて一方の凹凸歯と他方の凹凸歯の間に挟持して、綴じられる凹凸痕を付与するシート材の綴じ込み機において、一方の凹凸歯が取り付けられる一方側躯体が他方の凹凸歯が取り付けられる他方側躯体に接離可能に取り付けられるともに、前記一方側躯体と他方側躯体との間に躯体間調整用の弾性部材が配されていることを特徴とするシート材の綴じ込み機。
【請求項４】
前記凹凸歯間隔調整用の弾性部材の弾性力が前記躯体間調整用の弾性部材に抗して前記操作手段による押圧操作する構成とされ、前記押圧操作を解除するときには、前記操作手段による押圧操作を徐々に緩めることで前記躯体間調整用の弾性部材の弾性力が生じて前記押圧操作を解除することを特徴とする請求項３記載のシート材の綴じ込み機。
【請求項５】
前記一方の凹凸歯が取り付けられる側躯体と前記他方の凹凸歯が取り付けられる他方側躯体を備えるとともに、これらの躯体のいずれもがスライド支柱に沿って移動可能に構成され、前記スライド支柱間に配された押し下げ部材を介して前記操作手段により前記一方側躯体を他方側躯体に対して接離することを特徴とする請求項１ないし４のいずれか１項記載のシート材の綴じ込み機。
【請求項６】
前記一方の凹凸歯が取り付けられる側躯体と前記他方の凹凸歯が取り付けられる他方側躯体を備えるとともに、これらの躯体のいずれもがスライド支柱に沿って移動可能に構成され、前記操作手段に連結される固定用部材をスライド支柱に掛け渡すように取り付け、掛け渡した一方を支点として他方を解除可能にスライド支柱に連結するとともに、前記固定用部材の押え力を解除したり調整したりする支持解除部材を備えて、前記一方の凹凸歯と他方の凹凸歯との綴じ圧力を保持したまま状態で、及び／又は、前記一方側と他方側の躯体の間隔を保持したままの状態で、前記操作手段による押圧制御を解除することを特徴とする請求項１ないし４のいずれか１項記載のシート材の綴じ込み機。
【請求項７】
シート材を搬送する搬送用テーブルと、搬送用テーブルに沿うように配されてシート材を案内するガイド部と、前記ガイド部に沿って供給と排出が行われる複数枚のシート材を平坦に揃えるためのシート厚み調整手段を備えることを特徴とする請求項１ないし６のいずれか１項記載のシート材の綴じ込み機。
【請求項８】
シート材を搬送する搬送用テーブルと、搬送用テーブルに沿うように配されてシート材を案内するガイド部を備え、前記ガイド部はコ字状部材又は逆Ｌ字状部材により構成されて、シート材を平坦に揃えるためのシート厚み調整手段により押圧されることを特徴とする請求項１ないし７のいずれか１項記載のシート材の綴じ込み機。
【発明の詳細な説明】
【技術分野】
【０００１】
本発明は、金属製の綴じ針や糊等を使用しないで、複数枚のシート材（紙、合成樹脂フィルム、金属フィルムなどや、薬袋や食品包装材を含む。）を綴じ込むことができるシート材の綴じ込み機に関する。
【背景技術】
【０００２】
従来、冊子や帳票等の多くが金属製の綴じ針や糊等で綴じられて作成されている。 また、薬袋や食品包装材では、複数の袋を一つに綴じて、同時に収納したり、展示したりすること等も行われている。しかし、金属製の綴じ針は、その綴じ針が突き出す状態が生じると危険である。また、冊子や帳票等が不要になり破棄する場合、必要に応じてシュレッダーにより裁断し、焼却処分（あるいは省資源）といった観点から再生紙として再利用することが行われており、金属製の綴じ針で綴じられたものは、シュレッダーの刃の損傷を避けるため、金属製の綴じ針を外す必要があり、その処分も難しいのが実情である。一方、糊等で綴じられたものは、その糊がホットメルト等の樹脂系糊である場合、焼却の際、有毒ガスが発生する問題を有する。
【０００３】
これらの問題点に対応するため、金属製の針や糊を使用しないで、紙を綴じ込むことができるものとして、例えば、シート材（コピー用紙や帳票等）の複数枚を綴じ込む場合、一枚一枚の紙に水分を供給し、凹凸が連なった綴じ部材で上下から圧力を掛けて綴じ込む装置が記載されている（例えば、特許文献１と２）。
【０００４】
しかし、これらでは、水分等を含ませるので、簡易に綴じることができず、構造も大掛かりなものとなるので、図８に示すように、本願出願人は、その発明者として、ハンディタイプの綴じ込み機を開発した（特許文献３）。この特許文献３の綴込み機によれば、ハンディタイプであることに加えて、一方の凹凸歯が配される一方側躯体（固定固定ブロック）と他方の凹凸歯が配される他方側躯体（固定固定ブロック）とにより隙間（シート材が通過する隙間）を設けるので、その構造も簡単な構造にできる利点がある。
【先行技術文献】
【特許文献】
【０００５】
【特許文献１】特許第３４８１３００号公報
【特許文献２】特許第３５０２２０４号公報
【特許文献３】特許第６２５８６８６号公報
【発明の開示】
【発明が解決しようとする課題】
【０００６】
ところで、従来の綴じ込み機（特許文献１〜３を含む。）には、一枚でも多く綴じ込みたい要請がある。上記従来の綴じ込み機でもその要請は高く、現在のところ、普通紙で多くて３〜５枚程度、薄い合成フィルムで４〜６枚程度であるが、これよりも一枚でも多く綴じるためには更なる改良が必要である。また、シート材としては、紙製シートや合成樹脂シートやセロファンなどの種類があり、薬袋や食品袋を綴じたりする必要があり、できるだけ綺麗に綴じる要請が高いものがある。このため、その種類に応じて適宜綴じ代部の圧力をかける必要がある。
他方、使用される一方の凹凸歯と他方の凹凸歯の大きさや種類（鋼鉄製の歯の先鋭さ等）などによって、重ね合わせ枚数が異なったり、或いは、これら歯の噛み合わせが適正ではなくなったり、シート材に損傷させるなどの問題も有していた。すなわち、一方の凹凸歯と他方の凹凸歯との間の隙間の適正な設定は、そもそも難しいことに加えて（搬送用ステージに対する設定も難しい）、シート材の枚数が多くなると、互いの凹凸歯がシート材を噛み込んでしまう事態（紙詰まり）を生じさせている。そして、歯の間隔が一度狂ってしまうと元の適切な間隔に戻すことは難しくなる。
さらに、複数枚のシートを一対の凹凸歯で綴じたとしても、その反動で複数枚のソートがめくり上がる現象が生じることがあり、その対策が必要である。そして、これらの現象を抑制して、複数枚のシート材を綴じなければならない。
なお、特許文献３では、凹凸歯の切り欠き平面部３０により、紙詰まりした場合に紙類を排除することができるが、連続して搬送する場合においては、柔軟に紙詰まりを修正しなければならず、これのみでは、十分ではなかった。
【０００７】
ここで、特許文献１や２では、複数枚のシート材を重ね合わせて送ると（枚数を多くすると）、搬送するときにスリップが生じたり、互いに凹凸歯の噛み合わせが十分に正確にできず、容易に剥がれる現象が生じる題点を有する。上記スリップが生じると、シート材にテカリが生じたり、凹凸歯痕が線を引くように生じたりして、シート材の美感を害することになる問題も有していた。このため、このような現象を解決しなければならない。
また、特許文献１や２では、その装置構成が複雑であり、高価なものになっていたが、特に、シート材が通過する間隔の設定が難しいという問題も有していた。すなわち、上記従来例では、シート材を供給する隙間を別途設けたり（躯体の外側に配置するなどして）、そこに案内するガイド部が必要になり、凹凸歯の種類等に応じて前記隙間に対する突出度合い（隙間の間隔の調整）が難しいことが問題になっていた。
【０００８】
そこで本発明の目的は、一方の凹凸歯と他方の凹凸歯の間隔を適切に調整可能にして、複数枚のシート材に応じた綴じ圧力にできるとともに、凹凸歯の噛み合わせに不都合が生じたような場合（紙詰まり等）には、これに即座に対応したり、搬送用ステージに対する設定が容易で、前記適正な綴じ圧力を解除しないで対応することができるシート材の綴じ込み機を提供することにある。
【課題を解決するための手段】
【０００９】
そこで本発明は、上記課題を解決するために、複数枚のシート材を重ね合わせて一方の凹凸歯と他方の凹凸歯の間に挟持して、綴じられる凹凸痕を付与するシート材の綴じ込み機において、一方の凹凸歯が取り付けられる一方側躯体が他方の凹凸歯が取り付けられる他方側躯体に切離可能に取り付けられるとともに、前記一方の凹凸歯と他方の凹凸歯の間隔を調節する凹凸歯間隔調整用の弾性部材（第１の調整手段；第１の弾性部材）と、その調節に用いられる操作手段を押圧操作することによって、前記一方の凹凸歯と他方の凹凸歯との綴じ圧力を調整することを特徴とする。
本発明によれば、操作手段によって一方の凹凸歯が配される一方側躯体と他方の凹凸歯が配される他方側躯体との間隔を調節することにより、一方の凹凸歯と他方の凹凸歯との綴じ圧力の調整が可能になり、このため、互いに凹凸歯の噛み合わせが十分に正確にできない場合等には、一方の凹凸歯と他方の凹凸歯との間隔を広げるなどの調整することができるので（凹凸歯間隔調整用の弾性部材により自動的に調節ができるので）、シート材に対して凹凸歯同士の噛み合わせにより、適切な綴込みができる。尚、凹凸歯同士の間隔が過度に狭く、シート材に負荷がかかっても、凹凸歯間隔調整用の弾性部材によって負荷が吸収されることとなり、シート材の破れを防止し、適宜な綴込みができる。また、複数枚のシート材を重ね合わせて搬送するときにスリップを防止することができる。
本発明としては、前記一方側躯体と他方側躯体との間に躯体間調整用の弾性部材が配され、前記凹凸歯間隔調整用の弾性部材の弾性力が前記躯体間調整用の弾性部材に抗して前記操作手段による押圧操作する構成とされ、前記押圧操作を解除するときには、前記操作手段による押圧操作を徐々に緩めることで前記躯体間調整用の弾性部材の弾性力が発揮されて前記押圧操作を解除することを特徴とする。
本発明によれば、複数枚のシート材に応じて一方の凹凸歯と他方の凹凸歯による歯跡により綴じ込むときに、枚数に応じて凹凸歯の間隔を調整して綴じ込むことができる。また、躯体間調整用の弾性部材によって、シート材のスリップを防止したり、シート材の破れや紙詰まりを防止して、適宜な綴込みができる。
【００１０】
また、本発明は、複数枚のシート材を重ね合わせて一方の凹凸歯と他方の凹凸歯の間に挟持して、綴じられる凹凸痕を付与するシート材の綴じ込み機において、一方の凹凸歯が取り付けられる一方側躯体が他方の凹凸歯が取り付けられる他方側躯体に接離可能に取り付けられるともに、前記一方側躯体と他方側躯体との間に躯体間調整用の弾性部材（第２の調整手段；第２の弾性部材）が配されていることを特徴とする。
本発明によれば、互いに凹凸歯の噛み合わせが十分に正確にできない場合や、噛み込みが生じた場合等には、操作手段によって凹凸歯間隔調整用の弾性部材を介して間隔を調整すれば、自動的に躯体間調整用の弾性部材により、一方の凹凸歯と他方の凹凸歯との間隔を広がるので、シート材を取り外すことができる（シート材に対する凹凸歯の噛み込みや紙詰まりを解除することできる）。
本発明としては、前記凹凸歯間隔調整用の弾性部材の弾性力が前記躯体間調整用の弾性部材に抗して前記操作手段による押圧操作する構成とされ、前記押圧操作を解除するときには、前記操作手段による押圧操作を徐々に緩めることで前記躯体間調整用の弾性部材の弾性力が発揮されて前記押圧操作を解除することを特徴とする。
本発明によれば、躯体間の第２の弾性部材を介して前記凹凸歯間隔調整用の弾性部材（第１の弾性部材）の弾性力が前記操作手段による押圧操作ができるので、シート材の枚数に応じた綴じ圧力の調整ができるとともに、前記押圧操作を解除するときには、前記躯体間隔調整用の弾性部材の弾性力が発揮されて前記押圧操作を解除することで、徐々にその解除ができる（精密な解除が可能になる）。
【００１１】
本発明としては、前記一方の凹凸歯が取り付けられる側躯体と前記他方の凹凸歯が取り付けられる他方側躯体を備えるとともに、これらの躯体のいずれもがスライド支柱に沿って移動可能に構成され、前記操作手段に連結される固定用部材をスライド支柱に掛け渡すように取り付け、掛け渡した一方を支点として他方を解除可能にスライド支柱に連結するとともに、前記固定用部材の押え力を解除したり調整したりする支持解除部材を備えて、前記一方の凹凸歯と他方の凹凸歯との綴じ圧力を保持したまま状態で、及び／又は、前記一方側と他方側の躯体の間隔を保持したままの状態で、前記操作手段による押圧制御を解除することを特徴とする。
本発明によれば、前記一方の凹凸歯と他方の凹凸歯との綴じ圧力を一定に保持したまま状態で、及び／又は、前記一方側と他方側の躯体の間隔を一定に保持したままの状態で、前記操作手段による押圧制御を解除することができるので、前記第１の調整手段（第１の弾性部材）と組み合わせたり、前記第２の調整手段（第２の弾性部材）と組み合わせたりして、凹凸歯やシート材にかかる圧力を調整可能である。すなわち、前記一方の凹凸歯と他方の凹凸歯との綴じ圧力を一定に保持したままの状態で、前記第２の調整手段（第２の弾性部材）の弾性力を調整したり、前記一方側と他方側の躯体の間隔を一定に保持したままの状態で、前記第１の調整手段（第１の弾性部材）の弾性力を調整したりすることができる。
また、前記一方の凹凸歯が取り付けられる側躯体と前記他方の凹凸歯が取り付けられる他方側躯体を備えるとともに、これらの躯体のいずれもがスライド支柱に沿って移動可能に構成され、前記スライド支柱間に配された押し下げ部材を介して前記操作手段により前記一方側躯体を他方側躯体に対して接離することを特徴とする。
本発明によれば、前記一方側躯体に対する前記操作手段による押圧力が掛かったままの状態で（シート材に対する綴じ圧力を一定にした状態のまま）、前記操作手段による押圧力を解除することができるので、紙詰まりしても、操作手段による押圧力を変えないで、紙詰まりを除去して、元の押圧力に戻すことができる。また、搬送用テーブルに対する凹凸歯の位置の設定が精密に行うことができる。
本発明としては、前記凹凸歯間隔調整用の弾性部材と前記躯体間調整用の弾性部材とは対向配置されて連係動作する構造であり、通常の稼働時は前記躯体間調整用の弾性部材よりも前記凹凸歯間隔調整用の弾性部材の方が弾性力が強いが、前記凹凸歯間隔調整用の弾性部材の弾性力を解除した時には、前記躯体間調整用の弾性部材の弾性力により、一方側躯体と他方側躯体との間隔が広がることを特徴とする。
ここで、上記弾性力とは、一方側と他方側の躯体が上下配置構造の場合には、上方からの押圧力（付勢力）、伸縮力或いは圧迫力であるが、上下配置構造に限らず適用可能である。
本発明によれば、前記凹凸歯間隔調整用の弾性部材と前記躯体間調整用の弾性部材とは対向配置に配されて連係動作するものであることから（上下配置に限られない）、互いの付勢力を調整することができる。前記凹凸歯間隔調整用の弾性部材により一方側躯体と他方側躯体との間隔を予め設定すれば、後は前記躯体間調整用の弾性部材の弾性力の強弱による僅かな調整により、一方側躯体と他方側躯体との間隔を調節することが可能になる。
また、本発明としては、シート材を搬送する搬送用テーブルと、搬送用テーブルに沿うように配されてシート材を案内するガイド部と、前記ガイド部に沿って供給と排出が行われる複数枚のシート材を平坦に揃えるためのシート厚み調整手段を備えることを特徴とする。また、シート材を搬送する搬送用テーブルと、搬送用テーブルに沿うように配されてシート材を案内するガイド部を備え、前記ガイド部はコ字状部材又は逆Ｌ字状部材により構成されて、シート材を平坦に揃えるためのシート厚み調整手段により押圧されることを特徴とする。
本発明によれば、一方と他方の凹凸歯によりシート材を綴じるときに、シート材がスリップしたり、皺が寄ったりすることを防止するとともに、複数枚のシート材を平坦に揃えることとなる。
【００１２】
本発明としては、前記一方側躯体と他方側躯体とは、上下に分離して配置されることによりその分離した隙間に前記一方の凹凸歯と他方の凹凸歯のうちの少なくとも一方の凹凸歯が突出して配されるか、及び／又は、左右に分離して配置されることによりその分離した隙間に前記一方の凹凸歯と他方の凹凸歯のうちの少なくとも一方の凹凸歯が突出して配されることを特徴とする。ここで、凹凸歯としては、回転歯に限らず、直線状の凹凸歯、すなわち直線状に対向配置されてプレス機等により上下の型として押圧されるものでも良い。
従来の綴込み機では、上下配置の一方側躯体と他方側躯体の間の隙間を設けるしかなかった。これに対して、本発明によれば、凹凸歯間隔調整用の弾性部材が押し下げ部材と一方側躯体との間に配されるので、凹凸歯間隔調整用の弾性部材に抗して操作手段による押し下げ部材を介した押し下げができ、シート材の枚数に応じた押し下げができる（綴じ圧力が得られる）こととなる。そのため、上下配置に限らず前記一方側躯体と他方側躯体の隙間において突出する凹凸歯によりシート材を挟持させることができる。また、一方側躯体と他方側躯体とを上下の他、左右の２分割とすれば、上下の隙間と左右の隙間のどの位置でも凹凸歯間隔調整用の弾性部材の付勢力（弾性力）を発揮させる隙間を設定することができ、シート材を横方向のみならず、上下方向から差し込んで綴じることが可能になる。
【発明の効果】
【００１３】
本発明によれば、複数枚のシート材を重ね合わせて一方の凹凸歯が配される一方側躯体と他方の凹凸歯が配される他方側躯体との間に挟持すると、前記凹凸歯間隔調整用の弾性部材を介して複数枚のシート材に凹凸痕が付与されるので、剥がれ難くなる凹凸痕（シート材の材質に応じて良好な凹凸痕）を付けることができる。また、従来よりも重ね合わす枚数を多くし、また、スリップが防止されて搬送（供給と送り出し）も良好になる。
また、凹凸歯間調整用の弾性部材により一方側躯体と他方側躯体との間の隙間の調節が綴じる枚数や種類に応じ適切な間隔に調整することができる。そして、凹凸歯の損傷を防止して、凹凸歯の長寿命化を図ることができるとともに、尚、シート材が噛み込んだ場合、押し圧部材の押し圧を緩めることにより、躯体間調整用の弾性部材を介して対向する凹凸歯同士の間隔が自動的に広がり、シート材を外すことができる。凹凸歯の突出度合い（一方側躯体と他方側躯体の間の隙間に突出させる回転歯の設定）が容易になる。
また、前記一方の凹凸歯が取り付けられる側躯体と前記他方の凹凸歯が取り付けられる他方側躯体を備えるとともに、これらの躯体のいずれもがスライド支柱に沿って移動可能に構成されるので、搬送用テーブルに対する凹凸歯の位置や凹凸歯の切り欠き平面部の位置合わせが正確に行うことができるようになる。
さらに、上下動するガイド部やその上方から押圧するシート厚み調整用の弾性部材により、一対の凹凸歯による綴込みが終了した直後に生じるようなシートのめくり上がりや、しわを防止することができるので、綺麗な仕上がりになる。尚、弾性部材としては、弾性スプリング、ばね板の他、ゴム、シリコンなどの樹脂でもよい。
【図面の簡単な説明】
【００１４】
【図１】本発明に係るシート材の綴じ込み機の第１の実施の形態を示す斜視図である。
【図２】上記実施の形態の斜視図である。
【図３】上記実施の形態の斜視図である。
【図４】上記実施の形態の断面図である。
【図５】上記実施の形態の断面図である。
【図６】本発明のシート材の綴じ込み機の使用例を説明する斜視図である。
【図７】本発明のシート材の綴じ込み機の他の例（第２の例）の実施の形態を説明する図である。
【図８】本発明のシート材の綴じ込み機の他の例（第３の例）の実施の形態を説明する図である。
【図９】本発明のシート材の綴じ込み機の他の例（第４の例）の実施の形態を説明する図である。
【図１０】本発明のシート材の綴じ込み機の他の例（第５の例）の実施の形態を説明する図である。
【図１１】本発明に係るシート材の綴じ込み機の実施の形態を示す斜視図である。
【図１２】本発明に係るシート材の綴じ込み機の実施の形態を示す斜視図である。
【図１３】上記実施の形態の斜視図である。
【図１４】上記実施の形態の断面図である。
【図１５】上記実施の形態の断面図である。
【図１６】本発明のシート材の綴じ込み機の使用例を説明する斜視図である。
【図１７】本発明のシート材の綴じ込み機の他の例（第２の例）の実施の形態を説明する図である。
【図１８】本発明のシート材の綴じ込み機の他の例（第３の例）の実施の形態を説明する図である。
【図１９】本発明のシート材の綴じ込み機の他の例（第４の例）の実施の形態を説明する図である。
【図２０】本発明の凹凸歯を示す斜視図である。
【図２１】本発明に係るシート材の綴じ込み機の第３の実施の形態を示す斜視図である。
【図２２】上記実施の形態の斜視図である。
【図２３】上記実施の形態の斜視図である。
【図２４】上記実施の形態の斜視図である。
【図２５】上記実施の形態の断面図である。
【図２６】上記実施の形態の斜視図である。
【図２７】上記実施の形態の断面図である。
【図２８】本発明に係るシート材の綴じ込み機の第４の実施の形態を示す斜視図である。
【図２９】本発明に係るシート材の綴じ込み機の第４の実施の形態を示す斜視図である。
【図３０】本発明に係るシート材の綴じ込み機の第４の実施の形態を示す斜視図である。
【図３１】本発明に係るシート材の綴じ込み機の第４の実施の形態を示す斜視図である。
【図３２】本発明に係るシート材の綴じ込み機の第５の実施の形態を示す斜視図である。
【図３３】従来のシート材の綴じ込み機を説明する図である。
【発明を実施するための形態】
【００１５】
以下、本発明に係るシート材の綴じ込み機の実施の形態を図面に基づいて詳細に説明する。
【００１６】
（第１の実施の形態）
本例のシート材の綴じ込み機１は、上下に対向して配置され、対向する外周面に互いに噛み合う複数の凹凸歯１Ａ，１Ｂをそれぞれ有する一対の歯車１Ａ，１Ｂを有し、上下の歯車１Ａ，１Ｂ間に複数枚のシート材４を送り込み、上下の歯車１Ａ，１Ｂを回転させることにより噛み合った凹凸歯１Ａ，１Ｂ間で複数枚のシート材４を圧縮して綴じるものであって、上下の歯車１Ａ，１Ｂは躯体５に上下方向に平行に組み込まれた一対の回転軸６，７に対向する凹凸歯１Ａ，１Ｂが噛み合うように位置決めして固定され、前記一対の回転軸６，７は前記躯体１０，１１に、それぞれ回転可能に組み込みされている（図１〜図４）。
上記躯体（固定ブロック）５は、上側躯体１０と、下側躯体１１とからなり、上側躯体１０と、下側躯体１１は、さらに左右に分割され、左上側躯体１０ａ、右上側躯体１０ｂと、左下側躯体１１ａ、右下側躯体１１ｂとで構成されており、上側躯体１０と下側躯体１１はボルト（スライド支柱）２２により着脱可能に固定されており、また、左上側躯体１０ａと右上側躯体１０ｂとは、また左下側躯体１１ａと右下側躯体１１ｂとは、それぞれ圧縮バネ５１，５２，５３で着脱可能に連結されている。
また、上側躯体１０と下側躯体１１との間に位置するように、透明な搬送用テーブル６１が配置されており、搬送用テーブル６１の端部のガイド部６０に沿ってシート材４が搬送される。すなわち、搬送用テーブル６１の奥の凹凸歯１Ａ，１Ｂの噛み合う奥の位置にはガイド部（コ字状部材）６０が配置され、そのコ字状の空間部（上方の板６０ａと側板６０ｂとで形成されＬ字状の空間）にシート材４の端部が位置決めされてお搬送される。ガイド部６０は、搬送用テーブル６１にネジ止めされているが、その先端側６０ａは、上下動可能に構成することが可能である（図１２、図１６）。このガイド部６０は、一方の凹凸歯１Ａの位置においても配置されて、上方から上部挟持板７１ｂを介して複数のシート材４を平坦にする。
図１ないし図３において、符号１Ｅは、凹凸歯１Ａ，１Ｂの駆動制御する制御部であり、符号６３は、押圧式のコントローラであり、符号６２は、透明プラスチックである。符号５９は、隙間調整部材６０の回転軸であり、駆動手段Ｍと連結されている（図３）。また、図５と図６においては、スライド支柱８０が配置されており、このスライド支柱８０に押圧部材５８が取り付けられて、上方の躯体１０を下方の躯体１１に対して接離する動作が可能になっている。すなわち、操作手段である操作手段５０を回転させると、操作手段５５を介して押圧部材を下降させて、上方の躯体１０を下方の躯体１１に対して接離動作させる。
【００１７】
左上側躯体１０ａと右上側躯体１０ｂには、上側の回転軸６を回転自在に挿通する挿通孔１２ａ，１２ｂが設けられ、左上側躯体１０ａと右上側躯体１０ｂとの間には、上側の回転軸６の中程に固定された上側の歯車２を収容し、上側の歯車２の凹凸歯１Ａを上側躯体１０の下面から突出させる空間部１３が形成されている。
また、左下側躯体１１ａと右下側躯体１１ｂには、下側の回転軸７を回転自在に挿通する挿通孔１４ａ，１４ｂが設けられ、左下側躯体１１ａと右下側躯体１１ｂとの間には、下側の回転軸７の中程に固定された下側の歯車３を収容し、下側の歯車３の凹凸歯１Ｂを下側躯体１１の上面から突出させ、下側の歯車３の凹凸歯１Ｂを上側躯体１０の下面から突出している上側の歯車２の凹凸歯１Ａと噛み合わせる隙間Ｓが形成されている。
【００１８】
そして、上側躯体１０への上側の歯車２を固定した上側の回転軸６の組み込みは、上側の回転軸６の一端側を左上側躯体１０ａの挿通孔１２ａに、空間部１３の形成面側から挿通し、端部を左上側躯体１０ａから突出させ、また、上側の回転軸６の他端側を右上側躯体１０ｂの挿通孔１２ｂに、空間部１３の形成面側から挿通し、端部を右上側躯体１０ｂから突出させ、左上側躯体１０ａと右上側躯体１０ｂとをボルト（スライド支柱）２２で固定する（図３）。
【００１９】
このようにして上側の歯車２を固定した上側の回転軸６を組み込んだ上側躯体１０と下側の歯車３を固定した下側の回転軸７を組み込んだ下側躯体１１との間には、複数枚重ねたシート材４を上側の歯車２と下側の歯車３の間に送り込む隙間Ｓが形成されている。
また、本実施例では、対向する凹凸歯１Ａ，１Ｂのうち下方側の凹凸歯１Ｂが駆動軸５９とされ、駆動源と連結されている。前記駆動軸５９はカップリング５９ａを介して駆動手段Ｍと連結されている（図５）。上方側の凹凸歯１Ａは従動軸により回転する構造である。なお、上記凹凸歯の駆動軸５９と従動軸との関係を逆にしたり、いずれにも駆動手段Ｍを配置したりすることも可能である。
【００２０】
本発明では、複数枚のシート材４を重ね合わせて一方の凹凸歯１Ａと他方の凹凸歯１Ｂの間に送り込み挟持するが、一方側躯体１０と他方側躯体１１との間にこれらの間の隙間Ｓにより複数枚のシート材４を弾力性を持って挟持する凹凸歯間隔調整用の弾性部材５１が配されている。凹凸歯間隔調整用の弾性部材５１は、一方側躯体１０と他方側躯体１１との間に形成される収納穴５１ａに配置されて連結されている。なお、前記スライド支柱２２に沿って巻き付けるように取り付けることも可能である。また、前記収納穴５１ａにゴム材等を配置することで、更に弾力性を発揮させることも可能である。
【００２１】
また、前記一方側躯体１０と他方側躯体１１との間隔Ｓを調節する操作手段としての操作手段５０を備えている。操作手段５０は、押し下げ部材５８を備えて、この押し下げ部材５８と躯体間調整用の弾性部材５２を介して前記上方側の躯体（固定ブロック）１０と躯体１１が連係動作する構造である。すなわち、上方側躯体１０に固定用部材５７が内蔵されており、この固定用部材５７に躯体間調整用の弾性部材５２が弾性力を発揮するように取り付けられている。そして、上方の操作手段５０を回転させると、押し下げ部材５８が押し下げられ、一方の凹凸歯１Ａと他方の凹凸歯１Ｂの間隔を調節することができるが、本実施の形態によれば、躯体間調整用の弾性部材５２の弾力性を持って隙間Ｓも調整することができる。
【００２２】
そして、前記凹凸歯間隔調整用の部材５１と前記躯体間調整用の弾性部材５２とは上下に配されて連係動作するものであり、前記躯体間調整用の弾性部材５２よりも前記凹凸歯間隔調整用の弾性部材５１の方が上方に配されて付勢力（上方からの押圧力）や弾性力が強くして配されている。すなわち、前記凹凸歯間隔調整用の部材５１と前記躯体間調整用の弾性部材５２は、バネが使用されているが、躯体間調整用の弾性部材５１は凹凸歯間隔調整用の弾性部材５２よりも長くて付勢力や弾性力が弱いものが使用されている。なお、後述する第３の弾性部材５３は、躯体間調整用の弾性部材５２と同じく、凹凸歯間隔調整用の弾性部材５１よりも短くて付勢力（弾性力）が強いものが使用されている。
【００２３】
したがって、第１の実施の形態の綴じ込み機１を使用して、前記躯体１０，１１の隙間Ｓにシート材４を供給すると、一方の凹凸歯と他方の凹凸歯の間で挟持され凹凸痕が付与される。前記躯体１０，１１の隙間Ｓは、凹凸歯間隔調整用の弾性部材５１であるばねの伸縮力が働いて、複数枚のシート材４を剥離がし難くして綴じ込むことができる。なお、一枚ごとに分離する場合は、凹凸痕のみであり、針や接着剤などを使用していないので、簡単に一枚ごとに外すことも可能である。
また、凹凸歯間隔調整用の弾性部材５１と躯体間調整用の弾性部材５２とは上下に配されて連係動作するものであることから、互いの付勢力（押圧力）を調整することができる。例えば、前記凹凸歯間隔調整用の弾性部材５１よりも前記躯体間調整用の弾性部材５２の方が上方に配されて付勢力を強くすることで、前記凹凸歯間隔調整用の弾性部材５１が配される一方側躯体１０と他方側躯体１１との間隔Ｓがいたずらに開きすぎないように調節することができる。
そして、シート材４が合成樹脂製フィルムや金属製フィルム等であるときは、それに合わせて操作手段５０により、その隙間Ｓの間隔を調整するが、操作手段５０による調整と前記躯体１０と躯体１１による隙間Ｓが凹凸歯間隔調整用の弾性部材５１によって調整され連係作動させることができるので、シート材４に種類や、硬さ、柔らかさに応じて調節できるとともに、一方の凹凸歯１Ａと他方の凹凸歯１Ｂとの間隔を調整することができる。また、操作手段５０を緩めることにより、前記躯体１０と躯体１１との間隔が広がり、前記躯体間調整用の弾性部材５２によって自動的に躯体１０が押し上げられ、凹凸歯１Ａと凹凸歯２Ａと間隔が広がることから、シート材４が噛み込んだ場合など容易にシート材４を取り外すことができる。シート材４としては、合成樹脂製のフィルム、厚紙、薄紙、段ボールや、薬が入った薬袋やティーパックの袋などの周囲がシート状態で中央が所定厚みのあるシート状の袋（食品用袋や薬袋等）のシート状端部を綴じるときにも使用することができる。
【００２４】
図６（ａ）（ｂ）（ｃ）は、一回服用の薬用袋４を上下方向に重ね合わせて綴じる状態を説明するものである。合成樹脂フィルムの薬用袋４を複数枚重ね合わせて同時に凹凸歯１Ａ，１Ｂで綴じることで、凹凸痕が付与されて複数枚を綴じることができる。
また、図７〜図１０の第２の例〜第４の例では、互いに回転歯を使用したもののほか、回転歯と直線状の凹凸歯１Ａ，１Ｂを対向配置させたものや（図９）、直線状の凹凸歯を対向配置させたもの（図１０）の例であり、いずれも一方側躯体と他方側躯体との間に躯体間調整用の弾性部材５１等が配置されるので、これらのどのような組み合わせでも、前記隙間Ｓの間隔を、複数枚のシート材４に対応して適切に綴じることができるようになる。また、一方の凹凸歯１Ａや他方の凹凸歯１Ｂは、前記一方側躯体１０と他方側躯体１１の隙間Ｓに及ぶ側の先端に沿うような位置に配されるので、その位置合わせも容易である。
また、上下の凹凸歯１Ａ，１Ｂには、凹凸歯がない平坦部６ｃが設けられている（図７）。この平坦部６ｃの存在により、凹凸痕の付与を中止したいときに、その途中でシート材４を取り出すことができる。また、図２０（ａ）（ｂ）に示すように、歯車１Ａ，１Ｂのうち、上側の歯車１Ａに凹凸歯を有する周囲の一部に切り欠き平面部３０が形成されており、上側の歯車１Ａの切り欠き平面部３０と下側の歯車１Ｂの凹凸歯との間に紙類挿入間隙３１が形成されるようにしても良い。この紙類挿入間隙３１の間隔は、複数枚重ねた紙類４が挿入できる間隔となるように設定されている。本例では、上側の歯車１Ａの凹凸歯を有する周囲の両側に平行な切り欠き平面部３０が形成されている（図２０（ａ）（ｂ））。切欠きは一つであってもよく、数は問わなく角度も適宜でよい。尚、対向する凹凸歯は、同軸ギアで同期に回転することにより、噛み合せがスムーズに行える。
【００２５】
（第２の実施の形態）
図７〜図１１は本発明に係るシート材の綴じ込み機１の第２の実施形態を示す断面図である。
本実施の形態の例は、前記躯体１０，１１と、前記第１〜第３の弾性部材５１，５２，５３との関係を示す、本実施形態の原理構成を示すものでる。
本発明では、前記躯体１０，１１を左右に配置して、これらの隙間Ｓに上方からシート材４を供給するものである。上方側の凹凸歯間隔調整用の弾性部材５１の代わりに、第３の弾性部材５３を図７の右側の躯体（固定ブロック）に配置したものである。なお、前記第１と第２の弾性部材５１，５２に加えて、本実施形態の第３の弾性部材５３を配置することも可能である。
本実施の形態によれば、凹凸歯間隔調整用の弾性部材（第１の弾性部材）５１や第３の弾性部材５３を配置しているので、前記躯体１０，１１を左右に配置しても（或いは斜めに配置しても）、隙間Ｓに供給されるシート材４に対して凹凸痕を付けて綴じることができ、綴じる枚数も増やすことができ、綺麗な仕上がりの綴じ込みが可能であり、出来上がり後も剥離がし難いものになる。そして、図７に示す構造では、前記躯体１０，１１の左右への動きを均一にして調整できるので、隙間Ｓに上方から差し込まれる複数枚のシート材４を左右の膨らみを均一にしながら凹凸痕を凹凸歯１Ａ，１Ｂで綺麗に付与することができる。すなわち、凹凸歯間隔調整用の弾性部材５１を介して配される左右の弾性部材５２，５３の押圧力（付勢力）を同じにすることで、上方から供給される複数のシート材４の左右への膨らみを同じ厚みにして複数のシート材４を重ね合わせの均衡のとれた綴じ込みが可能になる。
【００２６】
ここで、前記スライド支柱８０に沿うようにして弾性部材５１，５２を配することも可能である。下方側躯体（固定ブロック）１０と上方側躯体（固定ブロック）１１とをスライド支柱８０に沿って弾性部材（圧縮バネ）５１が取り付けられることで、弾性力が安定して発揮されるようになる（図７参照）。
【００２７】
（第３の実施の形態）
本例のシート材の綴じ込み機１は、上下に対向して配置され、対向する外周面に互いに噛み合う複数の凹凸歯１Ａ，１Ｂをそれぞれ有する一対の歯車１Ａ，１Ｂを有し、上下の歯車１Ａ，１Ｂ間に複数枚のシート材４を送り込み、上下の歯車１Ａ，１Ｂを回転させることにより噛み合った凹凸歯１Ａ，１Ｂ間で複数枚のシート材４を圧縮して綴じるものであって、スライド支柱８０に沿って、上側躯体１０と下側躯体１１が接離する構造である（図２１〜図２７）。
また、搬送用テーブル６１の端部のガイド部６０に沿ってシート材４が搬送される。すなわち、搬送用テーブル６１の奥の凹凸歯１Ａ，１Ｂの噛み合う奥の位置にはガイド部（Ｌ字状部材）６０が配置され、そのＬ字状の空間部にシート材４の端部が位置決めされて搬送される。上記上方挟持板７１ａには、上方の凹凸歯１Ａに対する穴が形成されて、上方の凹凸歯の位置においても挟持板７１ｂの押圧が可能になっている（図２７）。このガイド部材６０は、シート厚み調整手段７０により押圧されると、その逆Ｌ字状の上部板６０ａが下降動作する（図２１〜図２７）。
ここで、上部挟持板７１ｂで、複数枚のシート材４を直接押圧する構造にすることも可能である。
【００２８】
（ガイド部とシート厚さ調整部材）
図１２と図１３は、搬送用テーブル６１とガイド部６０と、搬送されるシート材４との関係を示す平面図である。また、図１４ないし図１７は、本実施の形態のシート厚さ調整手段７０を説明する図である。
シート厚さ調整手段７０は、複数枚のシート材４を平坦に揃える部材であり、特に上下の凹凸歯１Ａ，１Ｂにより凹凸痕を付与した後において、搬送用テーブル６１の送り出し側に配置され、断面Ｌ字状のシート搬送路６３の送り出し側において、下方を平坦部７１ａと上部挟持板７１ｂを押圧するシート厚さ調整手段７０として構成され、凹凸痕が付与されたシート材（薬袋）４が上方にめくり上がらないように上方から抑え込む。このシート厚さ調整手段７０は、固定部材７２を介して本体上部１Ｄに横付けされ、ばね７３の弾力性を利用して、下方側の平坦部７１ａを降下させて、ガイド部６０を介してシート材４を上方から抑え込む機構である。
上記シート厚さ調整手段７０としては、上方カバー１Ｄの左右に各々配置しても良い。すなわち、供給側にも配置して、両方で上方から押圧するものでも良い（図１５）。このように押圧することで、綴じ込むシート材４の枚数を増加せることも可能である。
また、ガイド部６０にシート材４を上方から押さえる上部挟持板７１ｂを備え、前記シート厚さ調整手段７０が前記上部挟持板７１ｂを介して押圧する構造でも良い。前記ガイド部６０は、第１の実施の形態では、コ字形状を呈しているが（図５）、上記上方挟持板６５を有する逆Ｌ字形状のものであってもよく、このようなガイド部６０の上方から前記シート厚さ調整手段７０で押圧すると、複数枚のシート材４を平坦に揃えて供給したり排出したりする。ここで、中央の上下の凹凸歯１Ａ，１Ｂを中心にして、その凹凸歯１Ａ，１Ｂの位置までを供給側として、凹凸歯１Ａ，１Ｂによりシート材４の綴込みが行われた後から取り出すまでの工程を排出側として説明する。
シート厚さ調整手段７０は、シート材４に上下の凹凸歯１Ａ，１Ｂにより凹凸痕を付与した後において、搬送用テーブル６１の送り出し側に配置され、断面Ｌ字状のシート搬送路６３の送り出し側において、下方を平坦部７１ｂとして、軸７１に配されるばね７３の弾力性を利用して、下方側の平坦部７１ｂを降下させて、シート材４を上方から抑え込むので、凹凸痕跡が付与されたシート材４がめくり上がる事態を有効に防止するとともに、凹凸歯によるシート材の歯跡の皺（しわ）を防止することができる。本実施形態では、シート厚さ調整手段７０は、凹凸歯間隔調整用の弾性部材５１との関係でその力が調整されるものであり、本実施の形態では凹凸歯間隔調整用の弾性部材５１の力よりも強い力で押圧する設定である。
ここで、搬送用テーブル６１には、下方の回転歯１Ｂのための開口Ｓ２が形成されており、また、ガイド部６０を駆動するための開口Ｓ３が形成されている（図１２）。したがって、シート厚さ調整手段７０によりガイド部６０を押圧すると、ガイド部６０が下降してシート材４を平坦に揃えることができる。
【００２９】
（第４の実施形態）
図２８，図２９は、本発明に係るシート材の綴じ込み機の第４の実施の形態を示す斜視図である。本実施の形態は、綴じ込み機１を簡素化し、小型化した槽である。
第４の実施の形態の綴じ込み機１は、上下に対向して配置され、対向する外周面に互いに噛み合う複数の凹凸歯１Ａ，１Ｂをそれぞれ有する一対の歯車２，３を有し、上下の歯車１Ａ，１Ｂ間に複数枚のシート材４を送り込み、上下の歯車１Ａ，１Ｂを回転させることにより噛み合った凹凸歯１Ａ，１Ｂ間で複数枚のシート材４を圧縮して綴じるものであって、先端にワンウェイクラッチ９１を取り付けたハンドル９２によって回転軸６，７を直接操作し、手動で歯車２，３を回転させるものである。
【００３０】
また、本実施形態の綴じ込み機１は、前記操作手段５５に連結される固定用部材５７を左右のスライド支柱８０に掛け渡すように取り付けるとともに、掛け渡した一方を支点として他方を解除可能に左右のスライド支柱８０に連結している（スライド支柱８０に連結される上方側の支柱８１に連結されている。）。前記固定用部材５７は、円筒形状であり、固定用部材５７の解除可能な一端部５７ａを支持解除部材９０で押さえている。支持解除部材９０は、中央部分が断面半円形状になっており、平坦部９０ａを有し、通常時には、押さえ軸９０の平坦部９０ａが上向きになり、円形部分で固定用部材５７を押さえているが、操作ハンドル９２で支持解除部材９０を回転させると、前記平坦部９０ａが下面になると、前記固定用部材５７に対する押え力が解除され（図２８と図２９において、矢印Ｆ１の方向に移動する。）、その結果、前記押圧部材５８の押え力が解除される。すなわち、ワンウエイクラッチ９１の嵌合部９１ａを支持解除部材（第３の調整部材；角度調節部材）９０に嵌合部して回転させると、前記操作手段５０による押圧制御を解除することができる。
歯車２，３の複数の凹凸歯１Ａ，１Ｂにシート材が噛み込んだ際等は、図２９に示すように、操作手段９２で支持解除部材９０を回転させて、支持解除部材９０の平坦部９０ａが下向きになるようにすると、支持解除部材９０によって押さえられていた固定用部材５７の一端部が上昇し、それによって固定用部材５７の中央部に固定された操作手段５５が上昇する。操作手段５５を介して、上側躯体１０に組み込まれた軸６と軸６に固定された歯車２を接離動作させる。すなわち、上方側躯体１０に対する操作手段５５の押え力をそのままにして、中心の軸６を有する上方側躯体１０の押圧力を解除することができる。この動作により、凹凸歯１Ａ，１Ｂの間隔を調節することができ、噛み込んだシート材４を外すことができる。このため、噛み込んだシート材４を除去した後は、操作手段９２により支持解除部材９０を元の位置に戻すと（平坦部９０ａを上側にすると）、凹凸歯１Ａ，１Ｂの間隔を調節したり設定を変えたり必要がなく、簡単に間隔の調節ができる。このため、上方側躯体１０に対する操作手段５５の押え力をそのままの元の押さえ付けた状態のままロックが掛かることになる。
ここで、上記支持解除部材９０は、上記平坦部９０ａのほかに湾曲部９０ｂを設けることで（断面で楕円形状にしても良い）、前記凹凸歯間隔調整用の弾性部材（第１の調整手段；第１の弾性部材）５１や前記躯体間調整用の弾性部材（第１の調整手段；第２の弾性部材）５２との調整を図ることができる（図３０（ａ）（ｂ）（ｃ）、図３１（ａ）（ｂ）（ｃ））。すなわち、前記支持解除部材９０の湾曲部９０ｂを回転させることで、固定用部材５７の片側の傾斜角度θを変えることができ、前記第１の弾性部材５１との関係の操作制御や前記第２の弾性部材５２との操作制御を行うことができ、シート材４の枚数に応じた加圧力を調節したり、スリップ防止の調整を更に細かく調整したりすることができ、前記一方の凹凸歯と他方の凹凸歯との綴じ圧力を一定に保持したままの状態で、前記第２の調整手段（第２の弾性部材）５２の弾性力を調整したり、前記一方側と他方側の躯体１０，１１の間隔を一定に保持したままの状態で、前記第１の調整手段（第１の弾性部材）５１の弾性力を調整したりすることができる。
【００３１】
（第５の実施形態）
図３２（ａ）（ｂ）（ｃ）は、本発明に係るシート材の綴じ込み機の第５の実施形態を示す斜視図である。
第５の実施形態の綴じ込み機１は、小型の装置であり、複数枚のシート材４の角隅部を綴じたり、ワンウェイクラッチ９１を用いて、所定長さに応じて綴じ代を作成する装置である、上下の歯車２，３が対向して配置され、対向する外周面に互いに噛み合う複数の凹凸歯１Ａ，１Ｂをそれぞれ有する一対の歯車２，３を有し、上下の歯車２，３間に複数枚のシート材４を送り込み、上下の歯車２，３を回転させることにより噛み合った凹凸歯１Ａ，１Ｂ間で複数枚のシート材４を圧縮して綴じるものであって、上下の歯車２，３は躯体５に上下方向に平行に組み込まれた一対の回転軸６，７に対向する凹凸歯１Ａ，１Ｂが噛み合うように位置決めして固定され、前記一対の回転軸６，７は前記躯体１０，１１に、それぞれ回転可能に組み込みされている。前記一対の回転軸６，７には、先端にワンウェイクラッチ９１を取り付けたハンドル９２によって回転軸６，７を直接操作し手動で歯車２，３を回転させるものである。なお、スライド支柱８０が配置されており、このスライド支柱８０に押圧部材５８が取り付けられて、操作手段５０である操作手段５０を回転させると、操作手段５５ｎを介して押圧部材５８を下降させて、上方の躯体１０を下方の躯体１１に対して接離動作させる。図３２（ａ）（ｂ）は、上方の回転軸６に対してハンドル操作するタイプであり、図３２（ｃ）は、下方の回転軸７に対してハンドル操作するタイプであり、各凹凸歯に平行な切り欠き平面部３０が形成されている。
また、本実施形態の綴じ込み機１は、凹凸歯間隔調整用の弾性部材（第１の弾性部材）５１を備えているが、躯体間調整用の弾性部材（第２の弾性部材）５２を備えていないものである。
躯体間調整用の弾性部材５２を備えている場合、操作手段５５を緩めることにより、前記躯体１０と躯体１１との間隔が広がり、躯体間調整用の弾性部材５２によって自動的に躯体１０が押し上げられ、凹凸歯１Ａと凹凸歯２Ａと間隔が広がることから、シート材４が噛み込んだ場合など容易にシート材４を取り外すことができるが、本実施形態のように躯体間調整用の弾性部材５２を省略した場合でも、歯車に凹凸歯を有する周囲の一部に切り欠き平面部３０が形成することで、シート材４が噛み込んだ場合でも、紙詰まりしたシート材４を上記切り欠き平面部３０を利用して取り外すことができる。本例では、上側の歯車２の凹凸歯を有する周囲の両側に平行な切り欠き平面部３０が形成されている。シート材４が噛み込んだ場合、上側の歯車２の切り欠き部３０と搬送用テーブル６１が平行になるように歯車を回転させ、上側の歯車２の切り欠き平面部３０と下側の歯車３の凹凸歯１Ｂとの間に間隙を形成することでシート材を取り外すことができる。
【００３２】
以上、本発明は前記実施形態に限定されるものではなく、例えば本願出願人が権利者である特許６２５８６８６号のハンディタイプの紙類の綴じ込み機にも適用可能である。また、本実施の形態では、回転歯１Ａと１Ｂの実施形態で説明したが、特許６２５８６８６号のようにストロークタイプ（所定間隔で押圧力を付与するタイプ）にも本願発明を適用可能である。そして、本発明によれば、紙製や合成樹脂フィルム等の同じ種類のシート材を重ね合わせて綴じる場合のみならず、種類の違うものを重ねて綴じる場合にも弾力性を持って綴じることが可能になる。
【符号の説明】
【００３３】
１Ａ    一方の凹凸歯、１Ｂ  他方の凹凸歯、１ｃ  平坦部、
２，３  歯車、
４      シート材
５      躯体（固定ブロック）、
６，７  回転軸、６ｃ  凹凸歯がない平坦部（シート排除部）、
１０    上側躯体（上側固定ブロック）、１０ａ  左上側躯体、１０ｂ  右上側躯体、
１１    下側躯体（下側固定ブロック）、１１ａ  左下側躯体、１１ｂ  右下側躯体、
３０    凹凸歯がない平坦部（シート排除部）、
５０    操作手段（回転式の操作手段）、
５１    凹凸歯間隔調整用の弾性部材（第１の調整手段；第１の弾性部材）、５１ａ  ばね収納部、
５２    躯体間調整用の弾性部材（第２の調整手段；第２の弾性部材）、５２ａ  ばね収納部、
５３    第３の弾性部材、５３ａ  ばね収納部、
５４    第４の弾性部材、５４ａ  ばね収納部、
５７    固定用部材、
５８    押し下げ部材（押圧部材）、
６０    ガイド部（コ字状部材、Ｌ字状部材）、６０ａ  上部、６０ｂ  側板、
６１    搬送用テーブル、
７０    シート厚み調整手段、７１  軸、７１ａ  平坦部、７１ｂ  上部挟持板、
７３    シート厚み調整用の弾性部材、
８０    スライド支柱、
９０    支持解除部材（第３の調整部材；角度調節部材）、９０ａ  平坦部、９０ｂ  湾曲部、
９１    ワンウェイクラッチ、９１ａ  嵌合部、９２    ハンドル、
Ｍ      駆動手段、
Ｓ      隙間（シート材の搬送路）
【図１】
2020172107.tif 000003
【図２】
2020172107.tif 000004
【図３】
2020172107.tif 000005
【図４】
2020172107.tif 000006
【図５】
2020172107.tif 000007
【図６】
2020172107.tif 000008
【図７】
2020172107.tif 000009
【図８】
2020172107.tif 000010
【図９】
2020172107.tif 000011
【図１０】
2020172107.tif 000012
【図１１】
2020172107.tif 000013
【図１２】
2020172107.tif 000014
【図１３】
2020172107.tif 000015
【図１４】
2020172107.tif 000016
【図１５】
2020172107.tif 000017
【図１６】
2020172107.tif 000018
【図１７】
2020172107.tif 000019
【図１８】
2020172107.tif 000020
【図１９】
2020172107.tif 000021
【図２０】
2020172107.tif 000022
【図２１】
2020172107.tif 000023
【図２２】
2020172107.tif 000024
【図２３】
2020172107.tif 000025
【図２４】
2020172107.tif 000026
【図２５】
2020172107.tif 000027
【図２６】
2020172107.tif 000028
【図２７】
2020172107.tif 000029
【図２８】
2020172107.tif 000030
【図２９】
2020172107.tif 000031
【図３０】
2020172107.tif 000032
【図３１】
2020172107.tif 000033
【図３２】
2020172107.tif 000034
【図３３】
2020172107.tif 000035